【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
１つまたは複数の通知リクエストに対応する１つまたは複数の通知アクションをモバイルエンドユーザデバイスに記憶するステップであって、前記モバイルエンドユーザデバイスが、１つまたは複数のネットワークデータサービスのデータ使用量に対する制限を有するサービスプランに関連付けられるステップと、
１つまたは複数のネットワークデータサービスの過去の使用または所期の使用を反映するデバイスアクションを実施するステップと、
前記モバイルエンドユーザデバイスによって、前記デバイスアクションに応答して、ネットワーク要素から前記１つまたは複数の通知リクエストの１つを受信するステップと、
前記モバイルエンドユーザデバイスによって、前記１つまたは複数の通知リクエストの前記１つに応答して、前記１つまたは複数の対応する通知アクションの１つを実施するステップであって、前記１つまたは複数の対応する通知アクションの前記１つが、前記使用のステータスに関連付けられる通知メッセージの少なくとも一部の検索をモバイルエンドユーザデバイスに行わせ、前記通知メッセージの前記少なくとも一部が、前記１つまたは複数の通知リクエストの前記１つとは別であるステップと、
前記エンドユーザデバイスのユーザインターフェース上に前記通知メッセージを提示するステップと
を含むことを特徴とする方法。
【請求項２】
請求項１に記載の方法において、前記データ使用限度が、前記１つまたは複数のネットワークデータサービスの少なくとも１つが利用可能でなくなる時を識別することを特徴とする方法。
【請求項３】
請求項１に記載の方法において、前記データ使用限度が、料金請求レートが変化する時を識別することを特徴とする方法。
【請求項４】
請求項１に記載の方法において、前記１つまたは複数のネットワークデータサービスの少なくとも１つが、前記データ使用限度に達する前には第１のタイプとして分類され、前記１つまたは複数のネットワークデータサービスの前記少なくとも１つが、前記データ使用限度に達した後には第２のタイプとして分類されることを特徴とする方法。
【請求項５】
請求項１に記載の方法において、前記デバイスアクションが、前記サービスプランに基づくことを特徴とする方法。
【請求項６】
請求項１に記載の方法において、前記デバイスアクションが、新規ネットワークサービスにアクセスするための前記エンドユーザデバイスによるデバイスリクエストを含むことを特徴とする方法。
【請求項７】
請求項１に記載の方法において、前記デバイスアクションが、前記１つまたは複数のネットワークデータサービスのしきい値使用量を超えることを含むことを特徴とする方法。
【請求項８】
請求項１に記載の方法において、前記デバイスアクションが、ローミングイベントを含むことを特徴とする方法。
【請求項９】
請求項１に記載の方法において、前記デバイスアクションが、テザリングリクエストを含むことを特徴とする方法。
【請求項１０】
請求項１に記載の方法において、前記モバイルエンドユーザデバイスが中間デバイスであり、前記デバイスアクションが、前記中間デバイスを介して前記１つまたは複数のネットワークデータサービスと通信する１つまたは複数の他のエンドユーザデバイスによる過去の使用または所期の使用を反映することを特徴とする方法。
【請求項１１】
請求項１に記載の方法において、前記１つまたは複数のネットワークデータサービスが、サービスのカテゴリーを含み、前記デバイスアクションが、サービスの前記カテゴリーのしきい値量を超えることを含むことを特徴とする方法。
【請求項１２】
請求項１に記載の方法において、前記モバイルエンドユーザデバイスを現在使用しているユーザが前記サービスプランに加入されるときに、前記モバイルエンドユーザデバイスが前記サービスプランに関連付けられることを特徴とする方法。
【請求項１３】
請求項１に記載の方法において、前記モバイルエンドユーザデバイスが前記サービスプランに加入されるときに、前記モバイルエンドユーザデバイスが前記サービスプランに関連付けられることを特徴とする方法。
【請求項１４】
請求項１に記載の方法において、
前記通知メッセージが、前記サービスプランのキャンセル、修正、補充、または交換の提案を含み、
前記方法がさらに、前記モバイルエンドユーザデバイスのユーザが前記提案に応答することができるようにするステップを含む
ことを特徴とする方法。
【請求項１５】
請求項１に記載の方法において、前記通知リクエストが、ネットワーク宛先識別子を含み、前記１つまたは複数の通知アクションの前記１つが、前記通知メッセージの前記少なくとも一部を検索するために、前記ネットワーク宛先識別子に関連付けられるサーバへのアクセスを前記モバイルエンドユーザデバイスに行わせることを特徴とする方法。
【請求項１６】
請求項１に記載の方法において、前記通知メッセージが、サービスプランの特徴または異なるサービスプランに関してより詳細に知るための提案を含むことを特徴とする方法。
【請求項１７】
請求項１に記載の方法において、前記通知メッセージが、追加の情報へのリンクを含むことを特徴とする方法。
【請求項１８】
請求項１に記載の方法において、前記通知メッセージが、使用量または新規料金請求レートの確認を求めるリクエストを含むことを特徴とする方法。
【請求項１９】
請求項１に記載の方法において、前記１つまたは複数の通知アクションの前記１つを実施する前記ステップが、前記通知メッセージの前記少なくとも一部を含む所定のネットワーク宛先識別子に関連付けられるサーバにアクセスするステップを含むことを特徴とする方法。
【請求項２０】
請求項１に記載の方法において、
前記１つまたは複数の通知アクションの前記１つを実施する前記ステップが、第２のネットワーク宛先識別子を含む所定のネットワーク宛先識別子に関連付けられる第１のサーバにアクセスするステップを含み、
前記方法がさらに、前記第２のネットワーク宛先識別子を使用して前記通知メッセージの前記少なくとも一部を検索するステップを含む
ことを特徴とする方法。
【請求項２１】
請求項１に記載の方法において、前記１つまたは複数の通知リクエストの前記１つが、ローカル通知ストア内の前記通知メッセージの前記少なくとも一部を識別することを特徴とする方法。
【請求項２２】
１つまたは複数の通知リクエストに対する１つまたは複数の対応する通知アクションを記憶するためのメモリであって、前記モバイルエンドユーザデバイスが、１つまたは複数のネットワークデータサービスのデータ使用量に対する制限を有するサービスプランに関連付けられるメモリと、
前記１つまたは複数のネットワークデータサービスの過去の使用または所期の使用を反映するデバイスアクションを実施するように構成された少なくとも１つの処理装置と、
前記デバイスアクションに応答して、ネットワーク要素から前記１つまたは複数の通知リクエストの１つを受信するように構成された通信インターフェースと
を備えるエンドユーザデバイスにおいて、
前記少なくとも１つの処理装置が、前記１つまたは複数の通知リクエストの前記１つに応答して、前記１つまたは複数の対応する通知アクションの１つを実施するように構成され、前記１つまたは複数の対応する通知アクションの前記１つが、前記使用のステータスに関連付けられる通知メッセージの少なくとも一部の検索を前記少なくとも１つの処理装置に行わせ、前記通知メッセージの少なくとも一部が、前記１つまたは複数の通知リクエストの前記１つとは別であり、
前記エンドユーザデバイスが、さらに、前記通知メッセージを提示するように構成されたユーザインターフェースを備える
ことを特徴とするモバイルエンドユーザデバイス。
【請求項２３】
請求項２２に記載のモバイルエンドユーザデバイスにおいて、前記少なくとも１つの処理装置が、前記通知メッセージの一部を含む所定のネットワーク宛先識別子に関連付けられるサーバにアクセスするように構成されることを特徴とするシステム。
【請求項２４】
請求項２２に記載のモバイルエンドユーザデバイスにおいて、前記少なくとも１つの処理装置が、第２のネットワーク宛先識別子を含む所定のネットワーク宛先識別子に関連付けられる第１のサーバにアクセスし、前記第２のネットワーク宛先識別子を使用して前記通知メッセージの一部を検索するように構成されることを特徴とするシステム。
【請求項２５】
請求項２２に記載のモバイルエンドユーザデバイスにおいて、前記少なくとも１つの処理装置が、ローカル通知ストア内の前記通知メッセージの一部を識別するために、前記１つまたは複数の通知リクエストの前記１つを使用するように構成されることを特徴とするシステム。
【請求項２６】
サービスプランに関する情報を記憶するステップであって、前記サービスプランが、１つまたは複数のネットワークデータサービスの使用量に対する制限を有し、前記サービスプランが、モバイルエンドユーザデバイスに関連付けられるステップと、
前記１つまたは複数のネットデータワークサービスの過去の使用または所期の使用を反映するデバイスアクションを検出するステップと、
前記デバイスアクションをトリガイベントとして識別するステップと、
前記トリガイベントに基づいて通知リクエストを識別するステップであって、前記通知リクエストが、前記使用のステータスに関連付けられる通知メッセージの少なくとも一部を検索するために前記モバイルエンドユーザデバイスによって実施すべき通知アクションに対応し、前記通知メッセージの前記少なくとも一部が、前記通知リクエストとは別であるステップと、
前記トリガイベントに応答して、前記通知リクエストの前記少なくとも一部を前記モバイルエンドユーザデバイスに伝送するステップと
を含むことを特徴とする方法。
【請求項２７】
請求項２６に記載の方法において、前記データ使用限度が、前記１つまたは複数のネットワークデータサービスの少なくとも１つが利用可能でなくなる時を識別することを特徴とする方法。
【請求項２８】
請求項２６に記載の方法において、前記データ使用限度が、料金請求レートが変化する時を識別することを特徴とする方法。
【請求項２９】
請求項２６に記載の方法において、前記１つまたは複数のネットワークデータサービスの少なくとも１つが、前記データ使用限度に達する前には第１のタイプとして分類され、前記１つまたは複数のネットワークデータサービスの前記少なくとも１つが、前記データ使用限度に達した後には第２のタイプとして分類されることを特徴とする方法。
【請求項３０】
請求項２６に記載の方法において、前記トリガイベントが、前記サービスプランに基づくことを特徴とする方法。
【請求項３１】
請求項２６に記載の方法において、前記トリガイベントが、新規ネットワークサービスにアクセスするための前記エンドユーザデバイスによるデバイスリクエストを含むことを特徴とする方法。
【請求項３２】
請求項２６に記載の方法において、前記トリガイベントが、前記１つまたは複数のネットワークデータサービスのしきい値使用量を超えることを含むことを特徴とする方法。
【請求項３３】
請求項２６に記載の方法において、前記トリガイベントが、ローミングイベントを含むことを特徴とする方法。
【請求項３４】
請求項２６に記載の方法において、前記トリガイベントが、テザリングリクエストを含むことを特徴とする方法。
【請求項３５】
請求項２６に記載の方法において、前記モバイルエンドユーザデバイスが中間デバイスであり、前記トリガイベントが、前記中間デバイスを介して前記１つまたは複数のネットワークデータサービスと通信する１つまたは複数の他のエンドユーザデバイスによる過去の使用または所期の使用を反映することを特徴とする方法。
【請求項３６】
請求項２６に記載の方法において、前記１つまたは複数のネットワークデータサービスが、サービスのカテゴリーを含み、前記トリガイベントが、サービスの前記カテゴリーのしきい値量を超えることを含むことを特徴とする方法。
【請求項３７】
請求項２６に記載の方法において、前記モバイルエンドユーザデバイスを現在使用しているユーザが前記サービスプランに加入されるときに、前記モバイルエンドユーザデバイスが前記サービスプランに関連付けられることを特徴とする方法。
【請求項３８】
請求項２６に記載の方法において、前記モバイルエンドユーザデバイスが前記サービスプランに加入されるときに、前記モバイルエンドユーザデバイスが前記サービスプランに関連付けられることを特徴とする方法。
【請求項３９】
請求項２６に記載の方法において、
前記通知メッセージが、前記サービスプランのキャンセル、修正、補充、または交換の提案を含み、
前記方法がさらに、前記モバイルエンドユーザデバイスのユーザが前記提案に応答するのを待機するステップを含む
ことを特徴とする方法。
【請求項４０】
請求項２６に記載の方法において、
前記通知リクエストが、ネットワーク宛先識別子を含み、前記通知アクションが、前記通知メッセージの少なくとも一部を検索するために、前記ネットワーク宛先識別子に関連付けられるサーバへのアクセスを前記モバイルエンドユーザデバイスに行わせ、
前記方法がさらに、前記通知メッセージの前記少なくとも一部を識別するために、前記サーバにインデックスを送信するステップを含む
ことを特徴とする方法。
【請求項４１】
請求項２６に記載の方法において、前記通知メッセージが、サービスプランの特徴または異なるサービスプランに関してより詳細に知るための提案を含むことを特徴とする方法。
【請求項４２】
請求項２６に記載の方法において、前記通知メッセージが、追加の情報へのリンクを含むことを特徴とする方法。
【請求項４３】
請求項２６に記載の方法において、
前記通知メッセージが、使用量または新規料金請求レートの確認を求めるリクエストを含み、
前記方法がさらに、前記モバイルエンドユーザデバイスのユーザが前記リクエストに応答するのを待機するステップを含む
ことを特徴とする方法。
【請求項４４】
請求項２６に記載の方法において、
前記通知アクションが、前記通知メッセージの前記少なくとも一部を含む所定のネットワーク宛先識別子に関連付けられたサーバにアクセスするように動作可能であり、
前記方法がさらに、前記通知メッセージの前記少なくとも一部を識別するために、前記サーバにインデックスを送信するステップを含む
ことを特徴とする方法。
【請求項４５】
請求項２６に記載の方法において、
前記通知アクションが、第２のネットワーク宛先識別子を含む所定のネットワーク宛先識別子に関連付けられた第１のサーバにアクセスするように動作可能であり、
前記方法がさらに、前記第２のネットワーク宛先識別子を使用して前記通知メッセージの前記少なくとも一部を検索するステップを含む
ことを特徴とする方法。
【請求項４６】
請求項２６に記載の方法において、
前記通知リクエストが、ローカル通知ストア内の前記通知メッセージの前記少なくとも一部を識別し、
前記方法がさらに、前記通知リクエストに関連付けられる前記通知メッセージの前記少なくとも一部を含むように前記ローカル通知ストアを構成するステップを含む
ことを特徴とする方法。
【請求項４７】
サービスプランに関する情報を記憶するためのメモリであって、前記サービスプランが、１つまたは複数のネットワークデータサービスの使用量に対する制限を有し、前記サービスプランが、モバイルエンドユーザデバイスに関連付けられるメモリと、
前記１つまたは複数のネットワークデータサービスの過去の使用または所期の使用を反映するデバイスアクションを検出し、前記デバイスアクションをトリガイベントとして識別し、前記トリガイベントに基づいて通知リクエストを識別するように構成された少なくとも１つの処理装置であって、前記通知リクエストが、前記使用のステータスに関連付けられる通知メッセージの少なくとも一部を検索するために前記モバイルエンドユーザデバイスによって実施すべき通知アクションに対応し、前記通知メッセージの前記少なくとも一部が、前記通知リクエストとは別である処理装置と、
前記デバイスアクションに応答して、前記モバイルエンドユーザデバイスに前記通知リクエストを送信するように構成された通信インターフェースと
を備えることを特徴とするシステム。
【請求項４８】
請求項４７に記載のシステムにおいて、前記通知リクエストが、ネットワーク宛先識別子を含み、前記通知アクションが、前記通知メッセージの少なくとも一部を検索するために、前記ネットワーク宛先識別子に関連付けられるサーバへのアクセスを前記モバイルエンドユーザデバイスに行わせ、前記少なくとも１つの処理装置が、前記通知メッセージの前記少なくとも一部を識別するために、前記サーバにインデックスを送信するように構成されることを特徴とするシステム。
【請求項４９】
請求項４７に記載のシステムにおいて、前記通知アクションが、前記通知メッセージの少なくとも一部を含む所定のネットワーク宛先識別子に関連付けられるサーバへのアクセスを前記モバイルエンドユーザデバイスに行わせ、前記少なくとも１つの処理装置が、前記通知メッセージの前記少なくとも一部を識別するために、前記サーバにインデックスを送信するように構成されることを特徴とするシステム。
【請求項５０】
請求項４７に記載のシステムにおいて、前記通知リクエストが、ローカル通知ストア内の前記通知メッセージの前記少なくとも一部を識別し、前記少なくとも１つの処理装置が、前記通知リクエストに関連付けられる前記通知メッセージの前記少なくとも一部を含むように前記ローカル通知ストアを構成するように構成されることを特徴とするシステム。